【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間のホップの数を示す、
前記第１の基地局の前記タイミング階層に基づいて、タイミング同期と関連付けられる複数のフレームのために前記第１の基地局のＣＣＡ周波数をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することとを備える、方法。
【請求項２】
前記ゲーティングの周期性が前記第１の基地局の前記タイミング階層に基づく、請求項１に記載の方法。
【請求項３】
前記ＣＣＡが成功しないと決定することと、
前記第１の基地局で、前記フレームのために前記第２の基地局からチャネル使用ビーコン信号を受信することとをさらに備える、請求項１に記載の方法。
【請求項４】
前記フレームの間に前記第２の基地局から前記第２のタイミング情報を受信することと、
前記第１の基地局のタイミングを、前記フレームの間に前記第２の基地局から受信された前記第２のタイミング情報に基づいて調整することとをさらに備える、請求項３に記載の方法。
【請求項５】
前記第１の基地局の前記タイミングを、第３の基地局から受信された第３のタイミング情報に基づいて調整することをさらに備える、請求項４に記載の方法。
【請求項６】
前記フレームの間に少なくとも１つのユーザ機器（ＵＥ）にデータを送信することをさらに備え、前記データが前記第１のタイミング情報の前記送信と同時に前記ＵＥに送信される、請求項１に記載の方法。
【請求項７】
ワイヤレス通信のための装置であって、
プロセッサと、
前記プロセッサに結合されたメモリとを備え、前記プロセッサは、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間のホップの数を示す、
前記第１の基地局の前記タイミング階層に基づいて、タイミング同期と関連付けられる複数のフレームのために前記第１の基地局のＣＣＡ周波数をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することと
を行うように構成される、装置。
【請求項８】
前記ゲーティングの周期性が前記第１の基地局の前記タイミング階層に基づく、請求項７に記載の装置。
【請求項９】
前記プロセッサは、
前記ＣＣＡが成功しないと決定することと、
前記第１の基地局で、前記フレームのために前記第２の基地局からチャネル使用ビーコン信号を受信することと
を行うようにさらに構成される、請求項７に記載の装置。
【請求項１０】
前記プロセッサは、
前記フレームの間に少なくとも１つのユーザ機器（ＵＥ）にデータを送信することを行うようにさらに構成され、前記データが前記第１のタイミング情報の前記送信と同時に前記ＵＥに送信される、請求項７に記載の装置。
【請求項１１】
ワイヤレス通信のためのコンピュータ実行可能コードを記憶した非一時的コンピュータ可読媒体であって、前記コードは、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間のホップの数を示す、
前記第１の基地局の前記タイミング階層に基づいて、タイミング同期と関連付けられる複数のフレームのために前記第１の基地局のＣＣＡ周波数をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することと
を行うためにプロセッサによって実行可能である、非一時的コンピュータ可読媒体。
【請求項１２】
前記ゲーティングの周期性が前記第１の基地局の前記タイミング階層に基づく、請求項１１に記載の非一時的コンピュータ可読媒体。
【請求項１３】
前記命令は、
前記ＣＣＡが成功しないと決定することと、
前記第１の基地局で、前記フレームのために前記第２の基地局からチャネル使用ビーコン信号を受信することと
を行うために前記プロセッサによって実行可能である、請求項１１に記載の非一時的コンピュータ可読媒体。
【請求項１４】
前記命令は、
前記フレームの間に前記第２の基地局から前記第２のタイミング情報を受信することと、
前記第１の基地局のタイミングを、前記フレームの間に前記第２の基地局から受信された前記第２のタイミング情報に基づいて調整することと
を行うために前記プロセッサによって実行可能である、請求項１３に記載の非一時的コンピュータ可読媒体。
【請求項１５】
前記命令は、
前記第１の基地局の前記タイミングを、第３の基地局から受信された第３のタイミング情報に基づいて調整すること を行うために前記プロセッサによって実行可能である、請求項１４に記載の非一時的コンピュータ可読媒体。
【請求項１６】
前記命令は、
前記フレームの間に少なくとも１つのユーザ機器（ＵＥ）にデータを送信することを行うために前記プロセッサによって実行可能であり、前記データが前記第１のタイミング情報の前記送信と同時に前記ＵＥに送信される、請求項１１に記載の非一時的コンピュータ可読媒体。
【請求項１７】
ワイヤレス通信のための装置であって、
共有帯域のフレームのために第１の基地局に割り当てられるクリアチャネルアセスメント（ＣＣＡ）スロットを特定するための手段と、前記フレームは時間同期と関連付けられる、
ＣＣＡを、前記フレームのための前記特定されたＣＣＡスロットで、前記ＣＣＡスロットのタイミング階層に基づいて、行うための手段と、前記タイミング階層は、前記第１の基地局とグローバルポジショニングシステム（ＧＰＳ）同期されたタイミングソースとの間のホップの数を示す、
前記第１の基地局の前記タイミング階層に基づいて、タイミング同期と関連付けられる複数のフレームのために前記第１の基地局のＣＣＡ周波数をゲーティングするための手段と、
前記ＣＣＡが成功したと決定することに応答して、前記フレームの少なくとも１つの参照信号リソース要素の間に前記第１の基地局の第１のタイミング情報を選択的に送信するための手段と、
前記ＣＣＡが成功しないときに、前記フレームの間に第２の基地局の第２のタイミング情報を聴取するための手段とを備える、装置。
【請求項１８】
前記ゲーティングの周期性が前記第１の基地局の前記タイミング階層に基づく、請求項１７に記載の装置。
【請求項１９】
前記ＣＣＡが成功しないと決定するための手段と、
前記第１の基地局で、前記フレームのために前記第２の基地局からチャネル使用ビーコン信号を受信するための手段とをさらに備える、請求項１７に記載の装置。
【請求項２０】
前記フレームの間に前記第２の基地局から前記第２のタイミング情報を受信するための手段と、
前記第１の基地局のタイミングを、前記フレームの間に前記第２の基地局から受信された前記第２のタイミング情報に基づいて調整するための手段とをさらに備える、請求項１９に記載の装置。
【請求項２１】
前記第１の基地局の前記タイミングを、第３の基地局から受信された第３のタイミング情報に基づいて調整するための手段をさらに備える、請求項２０に記載の装置。
【請求項２２】
前記フレームの間に少なくとも１つのユーザ機器（ＵＥ）にデータを送信するための手段をさらに備え、前記データが前記第１のタイミング情報の前記送信と同時に前記ＵＥに送信される、請求項１７に記載の装置。